【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項1】
デジタルコンテンツの配信を行う配信サーバを少なくとも1つ有し、ユーザ端末からの要求に応じて、ネットワークを介したデジタルコンテンツの送信を行うコンテンツ配信システムであって、
ネットワークにおける複数の配信サーバについての所在を示す所在情報を保持しており、ユーザ端末からの要求に応じて、各配信サーバにおける所在情報をユーザ端末に通知するレファレンスサーバを含み、
前記配信サーバは、
ユーザ端末により本配信サーバがアクセスされた場合、ユーザ端末はレファレンスサーバにより通知された所在情報をコネクト先として用いて本配信サーバにコネクトしたか、当該所在情報の通知を受けずに本配信サーバにコネクトしたかを判定する判定部と、
前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成部と、
代金決済情報と、デジタルコンテンツとをユーザ端末に送信する送信部とを含む
ことを特徴とするコンテンツ配信システム。
【請求項2】
前記第1代金決済情報は、
デジタルコンテンツの再生権の購入代金の全額を配信サーバに支払うよう命じる旨を示し、
前記第2代金決済情報は、
デジタルコンテンツの再生権の購入代金のうち、α%をレファレンスサーバに支払い、(100-α)%を配信サーバに支払うよう命じる旨を示す
ことを特徴とする請求項1記載のコンテンツ配信システム。
【請求項3】
前記第2代金決済情報は、
デジタルコンテンツの再生権の購入代金のうち、α%を配信サーバの所在の通知に供した報酬としてレファレンスサーバに支払うよう命じる旨を示す
ことを特徴とする請求項2記載のコンテンツ配信システム。
【請求項4】
前記レファレンスサーバは、
配信サーバの所在を示す所在情報を、デジタルコンテンツに関連する語句であるコンテンツ関連語句に対応づけて格納している第1格納部と、
ユーザ端末によりアクセスされた際、ユーザ端末からキーワード入力を受け付ける受付部と、
第1格納部に格納されている複数の所在情報のうち、対応づけられているコンテンツ関連語句が、当該キーワードに全一致又は部分一致するものをユーザ端末に通知する検索部と
を含むことを特徴とする請求項1記載のコンテンツ配信システム。
【請求項5】
前記第1格納部は更に、
デジタルコンテンツの符号化方式、デジタルコンテンツの再生品質、デジタルコンテンツの再生権を購入する際の購入価格の何れかを示すコンテンツ販売細目を、デジタルコンテンツのコンテンツ関連語句に対応づけて格納しており、
前記レファレンスサーバは更に、
第1格納部に格納されているコンテンツ関連語句のうち、当該キーワードに一致するものが検索部により探し出されれば、第1格納部に格納されている複数のコンテンツ販売細
目のうち、キーワードに一致したコンテンツ関連語句に対応づけられているものを取り出して、取り出されたコンテンツ販売細目からなる配信ガイド情報を作成する配信ガイド情報作成部を含み、
前記検索部は、
作成された配信ガイド情報を、配信サーバについての所在情報に対応づけて、ユーザ端末に送信する
ことを特徴とする請求項4記載のコンテンツ配信システム。
【請求項6】
前記第1格納部は更に、
デジタルコンテンツを送信する配信サーバの所在情報に対応づけて、当該デジタルコンテンツが再生され得る再生ソフトウェアを示す再生ソフトウェア情報を格納しており、
前記受付部は、
デジタルコンテンツを特定するキーワードと共に、ユーザ端末が用いている再生ソフトウェアを示す再生ソフトウェア情報をユーザ端末から受け付け、
前記検索部は、
コンテンツ関連語句がキーワードと一致する所在情報が複数存在する場合、前記複数の所在情報のうち、対応づけられた再生ソフトウェア情報が、ユーザ端末から発せられた再生ソフトウェア情報と一致するもののみをユーザ端末に通知する
ことを特徴とする請求項4記載のコンテンツ配信システム。
【請求項7】
前記レファレンスサーバは、
複数のデジタルコンテンツを、各デジタルコンテンツに関連する関連語句に対応づけて格納している第2格納部と、
前記受付部がユーザ端末からキーワード入力を受け付けた際、受付部が受け付けたキーワードと全部又は一部が一致している関連語句が第2格納部に格納されているか否かを判定する判定部と、
一致する関連語句が第2格納部に存在する場合、当該関連語句に対応づけられているデジタルコンテンツを第2格納部から読み出す読出部と、
一致する関連語句が第2格納部に存在する場合、レファレンスサーバへの代金支払いをユーザ端末に命じる旨を示す代金決済情報を生成する生成部と、
読み出されたデジタルコンテンツと、生成された代金決済情報とをユーザ端末に送信する送信部とを含み、
前記検索部は、
一致する関連語句が第2格納部に存在しない場合、第1格納部に格納されている複数の所在情報のうち、コンテンツ関連語句の全部又は一部が当該キーワードと一致するものを、ユーザ端末に通知する
ことを特徴とする請求項4のコンテンツ配信システム。
【請求項8】
前記レファレンスサーバは、
代金決済情報により、ユーザ端末からレファレンスサーバへの代金支払いが行われれば、その代金から、デジタルコンテンツ販売についての報酬を徴収し、残りを、このデジタルコンテンツの所有者に支払う徴収部と
を含むことを特徴とする請求項7記載のコンテンツ配信システム。
【請求項9】
デジタルコンテンツの配信を行う配信サーバを複数有し、ユーザ端末からの要求に応じて、ネットワークを介したデジタルコンテンツの送信を行うコンテンツ配信システムであって、
ネットワークにおける複数の配信サーバについての所在を示す所在情報を保持しており、ユーザ端末からの要求に応じて、各配信サーバにおける所在情報をユーザ端末に通知するレファレンスサーバを含み、
各配信サーバは、
ユーザ端末により本配信サーバがアクセスされた場合、デジタルコンテンツの購入代金の支払いを、ユーザ端末から受け付ける受付部と、
購入代金が支払われば、デジタルコンテンツをユーザ端末に送信する送信部と、
ユーザ端末により本配信サーバがアクセスされた場合、ユーザ端末はレファレンスサーバにより通知された所在情報をコネクト先として用いて本配信サーバにコネクトしたか、当該所在情報の通知を受けずに本配信サーバにコネクトしたかを判定する判定部と、
レファレンスサーバにより通知された所在情報を用いてコネクトしたと判定された場合、ユーザ端末から支払われた購入代金の一部を、配信サーバの所在通知に供した報酬として、レファレンスサーバに通知する支払部と
を含むことを特徴とするコンテンツ配信システム。
【請求項10】
前記レファレンスサーバは、
配信サーバの所在を示す所在情報を、デジタルコンテンツに関連する語句であるコンテンツ関連語句に対応づけて格納している第1格納部と、
ユーザ端末によりアクセスされた際、ユーザ端末からキーワード入力を受け付ける受付部と、
第1格納部に格納されている複数の所在情報のうち、対応づけられているコンテンツ関連語句が、当該キーワードに全一致又は部分一致するものをユーザ端末に通知する検索部と
を含むことを特徴とする請求項9記載のコンテンツ配信システム。
【請求項11】
前記第1格納部は更に、
デジタルコンテンツの符号化方式、デジタルコンテンツの再生品質、デジタルコンテンツの再生権を購入する際の購入価格の何れかを示すコンテンツ販売細目を、デジタルコンテンツのコンテンツ関連語句に対応づけて格納しており、
前記レファレンスサーバは更に、
第1格納部に格納されているコンテンツ関連語句のうち、当該キーワードに一致するものが検索部により探し出されれば、第1格納部に格納されている複数のコンテンツ販売細
目のうち、キーワードに一致したコンテンツ関連語句に対応づけられているものを取り出して、取り出されたコンテンツ販売細目からなる配信ガイド情報を作成する配信ガイド情報作成部を含み、
前記検索部は、
作成された配信ガイド情報を、配信サーバについての所在情報に対応づけて、ユーザ端末に送信する
ことを特徴とする請求項10記載のコンテンツ配信システム。
【請求項12】
前記第1格納部は更に、
デジタルコンテンツを送信する配信サーバの所在情報に対応づけて、当該デジタルコンテンツが再生され得る再生ソフトウェアを示す再生ソフトウェア情報を格納しており、
前記受付部は、
デジタルコンテンツを特定するキーワードと共に、ユーザ端末が用いている再生ソフトウェアを示す再生ソフトウェア情報をユーザ端末から受け付け、
前記検索部は、
キーワードと一致するコンテンツ関連語句が複数存在する場合、複数の所在情報のうち、対応づけられた再生ソフトウェア情報が、ユーザ端末から発せられた再生ソフトウェア情報と一致するもののみをユーザ端末に通知する
ことを特徴とする請求項10記載のコンテンツ配信システム。
【請求項13】
前記レファレンスサーバは、
複数のデジタルコンテンツを、各デジタルコンテンツに関連する関連語句に対応づけて格納している第2格納部と、
前記受付部がユーザ端末からキーワード入力を受け付けた際、受付部が受け付けたキーワードと全部又は一部が一致している関連語句が第2格納部に格納されているか否かを判定する判定部と、
一致する関連語句が第2格納部に存在する場合、当該関連語句に対応づけられているデジタルコンテンツを第2格納部から読み出す読出部と、
一致する関連語句が第2格納部に存在する場合、レファレンスサーバへの代金支払いをユーザ端末に命じる旨を示す代金決済情報を生成する生成部と、
読み出されたデジタルコンテンツと、生成された代金決済情報とをユーザ端末に送信する送信部とを含み、
前記検索部は、
一致する関連語句が第2格納部に存在しない場合、第1格納部に格納されている複数の所在情報のうち、関連語句の全部又は一部が当該キーワードと一致するものを、ユーザ端末に通知する
ことを特徴とする請求項10記載のコンテンツ配信システム。
【請求項14】
前記レファレンスサーバは、
代金決済情報により、ユーザ端末からレファレンスサーバへの代金支払いが行われれば、その代金から、デジタルコンテンツ販売についての報酬を徴収し、残りを、このデジタルコンテンツの所有者に支払う徴収部を含む
ことを特徴とする請求項13記載のコンテンツ配信システム。
【請求項15】
コンテンツ配信システムであって、
同一著作物をエンコードすることにより得られた複数のデジタルコンテンツであって、それぞれ異なる再生ソフトウェアに対応するものを格納しており、ユーザ端末からの要求に応じて格納しているデジタルコンテンツを要求元のユーザ端末に送信する複数との配信サーバと、
何れか1つの再生ソフトウェアをインストールしており、この再生ソフトウェアに基づき、デジタルコンテンツの再生を行うユーザ端末と、
各配信サーバに、どの再生ソフトウェアに対応するデジタルコンテンツが格納されているかを示すコンテンツ管理情報を保持しており、ユーザ端末にインストールされている再生ソフトウェアに対応するデジタルコンテンツが、どの配信サーバに格納されているかを、ユーザ端末からの要求に応じて、ユーザ端末に通知するレファレンスサーバと
を含むことを特徴とするコンテンツ配信システム。
【請求項16】
デジタルコンテンツの送信を行う配信サーバを複数有し、ユーザ端末からの要求に応じて、ネットワークを介したデジタルコンテンツの送信を行うコンテンツ配信システムにおけるレファレンスサーバであって、
ネットワークにおける各配信サーバの所在を示す所在情報と、各配信サーバにより送信されるデジタルコンテンツに関連する関連語句とを含むコンテンツ管理情報を複数格納している格納部と、
複数のコンテンツ管理情報のうち、受け付けたキーワードと全部又は一部と一致する関連語句を有する全てのものを、格納部から取り出す取出部と、
格納部から取り出されたコンテンツ管理情報を用いて、デジタルコンテンツの販売を促す旨の配信ガイド情報を作成して、ユーザ端末に送信する配信ガイド情報作成部と
を含むことを特徴とするレファレンスサーバ。
【請求項17】
コンテンツ配信システムであって、
複数のデジタルコンテンツであり、それぞれ異なる再生ソフトウェアに対応するものを格納している複数との配信サーバと、
複数の再生ソフトウェアをインストールしている再生ソフトウェア配布サーバと、
各配信サーバの所在を示す所在情報と、その配信サーバにより送信されるデジタルコンテンツに関連する関連語句と、このデジタルコンテンツに対応する再生ソフトウェアを示す再生ソフトウェア情報とを対応付けて格納しているレファレンスサーバと、
1つ以上の再生ソフトウェアをインストールしており、この再生ソフトウェアに基づき、デジタルコンテンツの再生を行うユーザ端末とを含み、
前記ユーザ端末は、
レファレンスサーバにその関連語句が格納されているデジタルコンテンツのうち、何れかの選択をユーザから受け付ける受付部と、
デジタルコンテンツの選択がユーザによりなされれば、そのデジタルコンテンツの関連語句に対応づけられている所在情報に基づいて、複数の配信サーバのうち、何れかをアクセスすることにより、当該デジタルコンテンツのダウンロードを行うダウンロード部と、
当該デジタルコンテンツに対応する再生ソフトウェアが自端末にインストールされているか否かを判定し、対応する再生ソフトウェアが自端末にインストールされていない場合、再生ソフトウェア配布サーバをアクセスすることにより、対応する再生ソフトウェアをダウンロードして、自端末にインストールするインストール部と、
新たな再生ソフトウェアが自端末にインストールされれば、それまでインストールされていた1つ以上の再生ソフトウェアのうち、何れかを削除する削除部と
を含むことを特徴とするコンテンツ配信システム。
【請求項18】
デジタルコンテンツの配信を行う配信サーバを少なくとも1つ有し、ユーザ端末からの要求に応じて、ネットワークを介したデジタルコンテンツの送信を行うコンテンツ配信システムであって、
ネットワークにおける複数の配信サーバについての所在を示す所在情報を保持しており、ユーザ端末からの要求に応じて、各配信サーバにおける所在情報をユーザ端末に通知するレファレンスサーバを含み、
前記配信サーバは、ユーザ端末へとデジタルコンテンツを送信し、
前記レファレンスサーバは、
ユーザ端末により配信サーバがアクセスされた場合、ユーザ端末はレファレンスサーバにより通知された所在情報をコネクト先として用いて配信サーバにコネクトしたか、当該所在情報の通知を受けずに配信サーバにコネクトしたかを判定する判定部と、
前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成部と、
代金決済情報を送信する送信部と
を含むことを特徴とするコンテンツ配信システム。
【請求項19】
デジタルコンテンツの配信を行う配信サーバを少なくとも1つ有し、ユーザ端末からの要求に応じて、ネットワークを介したデジタルコンテンツの送信を行うコンテンツ配信システムであって、
ネットワークにおける複数の配信サーバについての所在を示す所在情報を保持しており、ユーザ端末からの要求に応じて、各配信サーバにおける所在情報をユーザ端末に通知するレファレンスサーバと、
ユーザ端末へとデジタルコンテンツの送信に伴う決済制御を行う課金サーバとを含み、
前記課金サーバは、
ユーザ端末により配信サーバがアクセスされた場合、ユーザ端末はレファレンスサーバにより通知された所在情報をコネクト先として用いて配信サーバにコネクトしたか、当該所在情報の通知を受けずに配信サーバにコネクトしたかを判定する判定部と、
前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成部と、
代金決済情報を送信する送信部と
を含むことを特徴とするコンテンツ配信システム。
【請求項20】
ユーザ端末からの要求に応じて、ネットワークを介したデジタルコンテンツの送信を行う少なくとも1つの配信サーバを用いるコンテンツ配信方法であって、
ネットワークにおける複数の配信サーバについての所在を示す所在情報を保持しており、ユーザ端末からの要求に応じて、各配信サーバにおける所在情報をユーザ端末に通知するレファレンスサーバと、
配信サーバとを含み、
前記配信サーバにおいて、
ユーザ端末により本配信サーバがアクセスされた場合、ユーザ端末はレファレンスサーバにより通知された所在情報をコネクト先として用いて本配信サーバにコネクトしたか、当該所在情報の通知を受けずに本配信サーバにコネクトしたかを判定する判定ステップと、
前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成ステップと、
代金決済情報と、デジタルコンテンツとをユーザ端末に送信する送信ステップとがなされる
ことを特徴とするコンテンツ配信方法。
【請求項21】
ユーザ端末からの要求に応じて、ネットワークを介したデジタルコンテンツの送信を行う少なくとも1つの配信サーバを用いたコンテンツ配信方法であって、
ネットワークにおける複数の配信サーバについての所在を示す所在情報を保持しており、ユーザ端末からの要求に応じて、各配信サーバにおける所在情報をユーザ端末に通知するレファレンスサーバと、
ユーザ端末へとデジタルコンテンツを送信する配信サーバとを含み、
前記レファレンスサーバにおいて、
ユーザ端末により本配信サーバがアクセスされた場合、ユーザ端末はレファレンスサーバにより通知された所在情報をコネクト先として用いて本配信サーバにコネクトしたか、当該所在情報の通知を受けずに本配信サーバにコネクトしたかを判定する判定ステップと、
前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成ステップと、
代金決済情報を送信する送信ステップとがなされる
ことを特徴とするコンテンツ配信方法。
【請求項22】
デジタルコンテンツの配信を行う配信サーバを少なくとも1つ用いて、ユーザ端末からの要求に応じて、ネットワークを介したデジタルコンテンツの送信を行うコンテンツ配信方法であって、
ネットワークにおける複数の配信サーバについての所在を示す所在情報を保持しており、ユーザ端末からの要求に応じて、各配信サーバにおける所在情報をユーザ端末に通知するレファレンスサーバと、
ユーザ端末へとデジタルコンテンツの送信に伴う決済制御を行う課金サーバとを含み、
前記課金サーバにおいて
ユーザ端末により本配信サーバがアクセスされた場合、ユーザ端末はレファレンスサーバにより通知された所在情報をコネクト先として用いて本配信サーバにコネクトしたか、当該所在情報の通知を受けずに本配信サーバにコネクトしたかを判定する判定ステップと、
前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成ステップとが
なされることを特徴とするコンテンツ配信方法。
【手続補正２】
【補正対象書類名】明細書
【補正対象項目名】０００９
【補正方法】変更
【補正の内容】
【０００９】
上記目的は、デジタルコンテンツの配信を行う配信サーバを少なくとも1つ有し、ユーザ端末からの要求に応じて、ネットワークを介したデジタルコンテンツの送信を行うコンテンツ配信システムであって、ネットワークにおける複数の配信サーバについての所在を示す所在情報を保持しており、ユーザ端末からの要求に応じて、各配信サーバにおける所在情報をユーザ端末に通知するレファレンスサーバを含み、前記配信サーバは、ユーザ端末により本配信サーバがアクセスされた場合、ユーザ端末はレファレンスサーバにより通知された所在情報をコネクト先として用いて本配信サーバにコネクトしたか、当該所在情報の通知を受けずに本配信サーバにコネクトしたかを判定する判定部と、前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成部と、代金決済情報と、デジタルコンテンツとをユーザ端末に送信する送信部とを含むことを特徴とするコンテンツ配信システムにより達成される。
【手続補正３】
【補正対象書類名】明細書
【補正対象項目名】００４４
【補正方法】変更
【補正の内容】
【００４４】
尚、ユーザ端末がレファレンスサーバを経由したか否かを判定する処理と、代金決済情報を生成する処理は、本実施形態では、配信サーバが行ったが、レファレンスサーバや課金サーバが行っても良い。即ち、ユーザ端末により配信サーバがアクセスされた場合、レファレンスサーバ及び課金サーバは、レファレンスサーバにより通知されたURLをコネクト先として用いて配信サーバにコネクトしたか、当該URLの通知を受けずに配信サーバにコネクトしたかを判定する。URLの通知を受けずにコネクトしたと判定された場合、配信サーバへの代金支払いをユーザ端末に命じる旨を示す代金決済情報を生成し、レファレンスサーバにより通知されたURLを用いてコネクトしたと判定された場合、配信サーバ、及び、レファレンスサーバへの代金支払いをユーザ端末に命じる旨を示す代金決済情報を生成する。こうして作成した代金決済情報をユーザ端末に送信するのである。
【手続補正４】
【補正対象書類名】明細書
【補正対象項目名】００７０
【補正方法】変更
【補正の内容】
【００７０】
以上説明したように本発明に係るコンテンツ配信システムによれば、デジタルコンテンツの配信を行う配信サーバを少なくとも1つ有し、ユーザ端末からの要求に応じて、ネットワークを介したデジタルコンテンツの送信を行うコンテンツ配信システムであって、ネットワークにおける複数の配信サーバについての所在を示す所在情報を保持しており、ユーザ端末からの要求に応じて、各配信サーバにおける所在情報をユーザ端末に通知するレファレンスサーバを含み、前記配信サーバは、ユーザ端末により本配信サーバがアクセスされた場合、ユーザ端末はレファレンスサーバにより通知された所在情報をコネクト先として用いて本配信サーバにコネクトしたか、当該所在情報の通知を受けずに本配信サーバにコネクトしたかを判定する判定部と、前記レファレンスサーバから前記所在情報の通知を受けずにコネクトしたと判定された場合、配信サーバへの代金支払いをユーザ端末に命じる旨を示す第1代金決済情報を生成し、レファレンスサーバにより通知された所在情報を用いてコネクトしたと判定された場合、配信サーバ、及び、レファレンスサーバへの代金支払いをユーザ端末に命じる旨を示す第2代金決済情報を生成する生成部と、代金決済情報と、デジタルコンテンツとをユーザ端末に送信する送信部とを含んでいるので、配信サーバがインディーズ系アーティストにより運営されている場合、インディーズ系アーティストが運営する配信サーバは、レファレンスサーバを介することにより、自身が創作したデジタルコンテンツと、これの配信を行い得る配信サーバの所在を多くのユーザ端末に知らしめることができる。一方、レファレンスサーバがメジャーな音楽会社により運営されている場合、レファレンスサーバを運営するメジャーな音楽会社は、デジタルコンテンツの購入により得た代金の一部を、報酬として受け取るので、インディーズ系アーティスト及びメジャーな音楽会社は利益を享有し合うことができる。